(57)【要約】【課題】文字入力を伴う情報設定を容易に行ったり、メモをとったりすることが可能なプロジェクター、リモートコントローラーおよびプロジェクターシステムを提供する。【解決手段】キーボード４０を接続するためのキーボード用インターフェース５１と、キーボード４０からの入力情報を、キーボード用インターフェース５１を介して取得するキーボード入力部５２と、取得した入力情報をテキスト情報に変換するテキストエディター５３と、変換されたテキスト情報を、内部メモリー５７または外部メモリー５８に記録する記録制御部５６と、を備えたものである。記録制御部５６は、ＯＳＤメニュー画面の設定に伴うテキスト情報の記録、並びにメモとして入力されたテキスト情報の記録を行う。【選択図】図１
2010190928.tif 000002
【特許請求の範囲】
【請求項１】
キーボードを接続するためのインターフェースと、
前記キーボードからの入力情報を、前記インターフェースを介して取得する情報取得手段と、
取得した前記入力情報を、テキスト情報に変換するテキスト変換手段と、
変換された前記テキスト情報を、記録媒体に記録する記録手段と、を備えたことを特徴とするプロジェクター。
【請求項２】
前記テキスト情報を、投写表示する投写表示手段をさらに備えたことを特徴とする請求項１に記載のプロジェクター。
【請求項３】
前記情報取得手段、前記テキスト変換手段および前記記録手段は、前記投写表示手段による投写表示中に、動作可能であることを特徴とする請求項１または２に記載のプロジェクター。
【請求項４】
前記テキスト情報に基づいて、ＯＳＤメニュー画面の情報設定を行う情報設定手段をさらに備え、
前記記録手段は、前記情報設定手段による設定に用いられた前記テキスト情報を、前記記録媒体に記録することを特徴とする請求項１ないし３のいずれか１項に記載のプロジェクター。
【請求項５】
前記入力情報には、前記キーボードのショートカットキー操作によるショートカット情報が含まれ、
前記情報設定手段は、前記ショートカット情報に基づく前記ＯＳＤメニュー画面の任意のメニュー項目のダイレクト指定と、当該指定したメニュー項目の情報設定と、が可能であることを特徴とする請求項４に記載のプロジェクター。
【請求項６】
前記記録媒体は、プロジェクター内部の内部記録媒体およびプロジェクターに接続された外部記録媒体の少なくとも一方を指し、
前記入力情報には、前記内部記録媒体または前記外部記録媒体に格納されている１以上のファイルのうち、いずれかのファイルを指定するためのファイル指定情報が含まれ、
前記記録手段は、前記テキスト情報に基づいて、指定した前記ファイルを書き替え可能であることを特徴とする請求項１ないし５のいずれか１項に記載のプロジェクター。
【請求項７】
プロジェクターを操作するためのリモートコントローラーであって、
キーボードを接続するためのインターフェースと、
前記キーボードからの入力情報を、前記プロジェクターに送信する送信手段と、を備えたことを特徴とするリモートコントローラー。
【請求項８】
請求項７に記載のリモートコントローラーと、プロジェクター本体と、から成るプロジェクターであって、
前記プロジェクター本体は、
前記リモートコントローラーから送信された前記入力情報を受信する受信手段と、
受信した前記入力情報を、テキスト情報に変換するテキスト変換手段と、
変換された前記テキスト情報を、記録媒体に記録する記録手段と、を備えたことを特徴とするプロジェクター。
【請求項９】
キーボードを有するコンピューターと、プロジェクターと、から成るプロジェクターシステムであって、
前記プロジェクターは、
前記コンピューターから送信された前記キーボードの入力情報を受信する受信手段と、
受信した前記入力情報を、テキスト情報に変換するテキスト変換手段と、
変換された前記テキスト情報を、記録媒体に記録する記録手段と、を備えたことを特徴とするプロジェクターシステム。
【発明の詳細な説明】
【技術分野】
【０００１】
スクリーン上に画像を投写表示するためのプロジェクター、リモートコントローラーおよびプロジェクターシステムに関するものである。
【背景技術】
【０００２】
プロジェクターの情報設定は、一般的に操作パネルやリモートコントローラーを用いて行う。例えば、文字入力を伴う設定項目については、ソフトウェアキーボードをＯＳＤ表示させ、操作パネルやリモートコントローラーに設けられたキーを用いて文字入力を行う（例えば、非特許文献１）。操作パネルやリモートコントローラーには、文字キーが存在しないため、これらに設けられたキーを用いて直接文字を入力することはできない。
【０００３】
一方、プロジェクターを利用したプレゼンテーション中に、発表者が気づいたことをメモしたいという要望がある。ところが、プロジェクターの操作を行っている最中に、メモ用紙とペンを用意してメモをとるのは不便である。そこで、上記のソフトウェアキーボードを用いてメモをとる（入力した情報を記録する）方法が考えられる。
【先行技術文献】
【非特許文献】
【０００４】
【非特許文献１】オフィリオプロジェクター取扱説明書  ＥＭＰ−１８１５／１８１０  ２００７年度版  （エプソン販売株式会社，セイコーエプソン株式会社  第４４頁「ソフトキーボードの操作」）
【発明の概要】
【発明が解決しようとする課題】
【０００５】
ところが、実際問題、ソフトウェアキーボードは、入力操作に時間がかかり、使い勝手が悪いといった問題がある。また、パーソナルコンピューターから送られた画像をプロジェクターで投写する場合は、パーソナルコンピューター側でメモをとることが考えられるが、プレゼンテーションソフトの起動中に、他のソフトウェア（テキストエディターなど）を起動すると、投写画像に影響を与えるため、それも不可能である。
【０００６】
本発明は、上記の問題点に鑑み、文字入力を伴う情報設定を容易に行ったり、メモをとったりすることが可能なプロジェクター、リモートコントローラーおよびプロジェクターシステムを提供することを課題とする。
【課題を解決するための手段】
【０００７】
本発明のプロジェクターは、キーボードを接続するためのインターフェースと、キーボードからの入力情報を、インターフェースを介して取得する情報取得手段と、取得した入力情報を、テキスト情報に変換するテキスト変換手段と、変換されたテキスト情報を、記録媒体に記録する記録手段と、を備えたことを特徴とする。
【０００８】
この構成によれば、インターフェースに、ハードウェアとしてのキーボードを接続し、当該キーボードによる入力情報を、記録媒体に記録できるため、ソフトウェアキーボードを用いることなく、容易にメモを入力することができる。
なお、キーボードとしては、一般的なインターフェースを有する汎用のものを利用可能である。
【０００９】
上記に記載のプロジェクターにおいて、テキスト情報を、投写表示する投写表示手段をさらに備えたことが好ましい。
【００１０】
上記に記載のプロジェクターにおいて、情報取得手段、テキスト変換手段および記録手段は、投写表示手段による投写表示中に、動作可能であることが好ましい。
【００１１】
これらの構成によれば、テキスト情報を投写表示できるため、プレゼンテーション中に発表者が気づいたことをメモとして書き留めておきたい場合、そのメモ内容をスクリーン上で確認することができる。また、テキスト情報を投写画像に重畳表示すれば、プレゼンテーションの資料に記載漏れがあった場合などに、それを補足することができる。
【００１２】
テキスト情報に基づいて、ＯＳＤメニュー画面の情報設定を行う情報設定手段をさらに備え、記録手段は、情報設定手段による設定に用いられたテキスト情報を、記録媒体に記録することが好ましい。
【００１３】
この構成によれば、ハードウェアとしてのキーボードを用いて、ＯＳＤメニュー画面の文字入力を伴う情報設定を、容易且つ迅速に行うことができる。
【００１４】
上記に記載のプロジェクターにおいて、入力情報には、キーボードのショートカットキー操作によるショートカット情報が含まれ、情報設定手段は、ショートカット情報に基づくＯＳＤメニュー画面の任意のメニュー項目のダイレクト指定と、当該指定したメニュー項目の情報設定と、が可能であることが好ましい。
【００１５】
この構成によれば、ＯＳＤメニュー画面を開くための操作を必要とすることなく、直接メニュー項目を指定（選択）することができる。これにより、より迅速に、メニュー項目の情報設定を行うことができる。
【００１６】
上記に記載のプロジェクターにおいて、記録媒体は、プロジェクター内部の内部記録媒体およびプロジェクターに接続された外部記録媒体の少なくとも一方を指し、入力情報には、内部記録媒体または外部記録媒体に格納されている１以上のファイルのうち、いずれかのファイルを指定するためのファイル指定情報が含まれ、記録手段は、テキスト情報に基づいて、指定したファイルを書き替え可能であることが好ましい。
【００１７】
この構成によれば、内部記録媒体または外部記録媒体に格納されている１以上のファイル（テキストファイル）のうち、いずれかのファイルを指定して書き替えることができる。これにより、メモ書きの効率を上げたり、メモ書きを後に有効利用したりすることができ、利便性が良い。
【００１８】
本発明のリモートコントローラーは、プロジェクターを操作するためのリモートコントローラーであって、キーボードを接続するためのインターフェースと、キーボードからの入力情報を、プロジェクターに送信する送信手段と、を備えたことを特徴とする。
【００１９】
本発明のプロジェクターは、上記に記載のリモートコントローラーと、プロジェクター本体と、から成るプロジェクターであって、プロジェクター本体は、リモートコントローラーから送信された入力情報を受信する受信手段と、受信した入力情報を、テキスト情報に変換するテキスト変換手段と、変換されたテキスト情報を、記録媒体に記録する記録手段と、を備えたことを特徴とする。
【００２０】
これらの構成によれば、ハードウェアとしてのキーボードを用いることにより、文字入力を伴う情報設定を容易に行うことができると共に、メモ入力が可能となる。また、キーボードをリモートコントローラーに接続するため、プロジェクター本体が天吊り状態で設置されているなど、プロジェクター本体へのキーボードの接続が困難な場合でも、支障なくキーボードを接続することができる。
【００２１】
本発明のプロジェクターシステムは、キーボードを有するコンピューターと、プロジェクターと、から成るプロジェクターシステムであって、プロジェクターは、コンピューターから送信されたキーボードの入力情報を受信する受信手段と、受信した入力情報を、テキスト情報に変換するテキスト変換手段と、変換されたテキスト情報を、記録媒体に記録する記録手段と、を備えたことを特徴とする。
【００２２】
この構成によれば、コンピューターのキーボードを用いることにより、文字入力を伴う情報設定を容易に行うことができると共に、メモ入力が可能となる。また、プロジェクター側で、入力情報をテキスト情報に変換するため、コンピューター側でそのためのソフトウェア（テキストエディターなど）を起動させる必要がない。これにより、投写表示中に、投写画像がテキストエディターの画面に切り替わってしまうといった問題がない。
【図面の簡単な説明】
【００２３】
【図１】第１実施形態に係るプロジェクターの構成を示すブロック図である。
【図２】ＯＳＤメニュー画面のトップ画面およびネットワーク設定画面の一例を示す図である。
【図３】ＯＳＤメニュー画面のメモ処理画面の一例を示す図である。
【図４】プロジェクターによるメモの記録処理を示すフローチャートである。
【図５】第２実施形態に係るプロジェクターの構成を示すブロック図である。
【図６】第３実施形態に係るプロジェクターシステムの構成を示すブロック図である。
【発明を実施するための形態】
【００２４】
［第１実施形態］
以下、本発明の一実施形態に係るプロジェクター、リモートコントローラーおよびプロジェクターシステムについて図面を参照しながら説明する。図１は、第１実施形態に係るプロジェクター１０の構成を示すブロック図である。同図に示すように、プロジェクター１０は、キーボード用インターフェース５１、キーボード入力部５２、テキストエディター５３、操作パネル５４、リモートコントローラー（以下、「リモコン」と称する）４５、リモコン受光部５５、記録制御部５６、内部メモリー５７、外部メモリー５８、中央制御部５９、画像信号入力端子６０、入力ソース選択部６１、ＯＳＤ（On  Screen  Display）処理部６２、ＯＳＤ用メモリー６３、画像処理部６４、投写制御部６５および投写光学系７０を備えている。
【００２５】
キーボード用インターフェース５１は、例えばＵＳＢインターフェース（タイプＡ）であり、ハードウェアとしてのキーボード４０が接続される。キーボード入力部５２は、キーボード４０からの入力情報を、キーボード用インターフェース５１を介して取得する。請求項における「情報取得手段」とは、キーボード入力部５２を指す。テキストエディター５３は、キーボード入力部５２に入力された入力情報を、テキスト情報に変換する。請求項における「テキスト変換手段」とは、テキストエディター５３を指す。
【００２６】
操作パネル５４およびリモコン４５は、ユーザーが各種設定および操作を行うためのものである。また、リモコン受光部５５は、リモコン４５との無線通信を行う。
【００２７】
記録制御部５６は、中央制御部５９からの指令に基づき、内部メモリー５７または外部メモリー５８に情報を記録するメモリーコントローラーである。請求項における「記録手段」とは、記録制御部５６を指し、請求項における「記録媒体」とは、内部メモリー５７または外部メモリー５８を指す。内部メモリー５７は、メモ記録領域５７ａおよび環境設定データ記憶領域５７ｂを有している。また、外部メモリー５８は、メモ記録専用となっている。
【００２８】
記録制御部５６は、中央制御部５９からのメモ記録指令に基づき、テキストエディター５３によって変換されたテキスト情報を、内部メモリー５７のメモ記録領域５７ａまたは外部メモリー５８に記録する。なお、外部メモリー５８とは、プロジェクター１０に着脱可能（接続可能）なメモリーを指す。また、記録制御部５６は、中央制御部５９からの設定情報記録指令に基づき、キーボード入力部５２によって入力された入力情報、またはテキストエディター５３によって変換されたテキスト情報を、内部メモリー５７の環境設定データ記憶領域５７ｂに記録する。当該設定情報記録指令は、ＯＳＤメニュー画面Ｄ０１（環境設定メニュー画面,図２（ａ）参照）の情報設定に関する指令であり、テキスト情報は、文字入力を伴うメニュー項目の設定に用いられる。
【００２９】
中央制御部５９は、プロジェクター１０全体を統括制御するものであり、ＣＰＵ（Central  Processing  Unit）およびＲＯＭ（Read  Only  Memory）等により構成される（いずれも図示省略）。請求項における「情報設定手段」とは、中央制御部５９を指す。中央制御部５９は、ＯＳＤメニュー画面Ｄ０１に対するユーザーの情報入力（操作パネル５４、リモコン４５、キーボード４０を用いた入力）に基づいて、情報設定を行う。また、中央制御部５９は、上記のとおり記録制御部５６に対し、メモ記録指令および設定情報記録指令を出力する。つまり、テキストエディター５３で変換したテキスト情報に基づいて、メモ記録指令を出力し、ＯＳＤメニュー画面Ｄ０１の設定に用いた設定情報（入力情報またはテテキスト情報）に基づいて、設定情報記録指令を出力する。
【００３０】
なお、本実施形態におけるプロジェクター１０は、Ｗｅｂサーバーとしての機能を有しており、不図示のコンピューターのＷｅｂブラウザを利用して、当該コンピューターとのネットワーク通信が可能となっている。当該ネットワーク通信の設定には、文字入力（パスワードやＩＰアドレスなど）を伴うものが多いが、キーボード４０を用いることで迅速な設定が可能となる。なお、Ｗｅｂサーバーとしての機能を実現するためのプログラムの記憶および演算処理は中央制御部５９が司るものとする。詳細については、後述する。
【００３１】
入力ソース選択部６１は、複数の画像信号入力端子６０の中から、出力対象となる入力ソースを選択し、選択したから入力ソースから得られる画像信号を取得する。複数の画像信号入力端子６０は、コンピューターを入力ソースとするコンピューター入力端子、ビデオプレーヤーやテレビチューナーを入力ソースとするビデオ入力端子などが含まれる。
【００３２】
ＯＳＤ処理部６２は、中央制御部５９からの制御信号に基づき、メモ記録用のテキスト情報（以下、「メモ情報」と称する）やＯＳＤメニュー画面Ｄ０１を生成するなどのＯＳＤ処理を行う。請求項における「投写表示手段」とは、ＯＳＤ処理部６２、並びに後述する投写制御部６５および投写光学系７０を指す。ＯＳＤ処理部６２は、中央制御部５９からのＯＳＤ信号にしたがい、ＯＳＤ用メモリー６３から所定の文字列やグラフィックデータを読み出し、メモ情報やＯＳＤメニュー画面Ｄ０１を生成して、画像処理部６４に出力する。なお、メモの記録は、投写表示中も実行可能となっており、プレゼンテーション中に発表者が気づいたことをメモとして保存しておくことができる。また、記録したメモの内容は、スクリーンＳＣ上に表示（例えば、投写画像に重畳表示）することができるため、プレゼンテーションの資料に記載漏れがあった場合などに、それを補足することができる。
【００３３】
画像処理部６４は、入力ソース選択部６１から取得した画像信号に対し、予め記憶されている画像処理プログラムに基づいて、所定の画像処理を実行する。所定の画像処理としては、キーストーン歪補正処理、画質調整処理、画像サイズ調整処理、ガンマ補正処理、画像合成（重畳）処理等を行う。
【００３４】
投写制御部６５は、画像処理部６４により処理された画像信号に基づき、後述する液晶ライトバルブ７３の各画素に対応する階調値を導出することにより、全画素の階調値からなる画像データを生成し、当該画像データに基づいて投写制御を行う。
【００３５】
投写光学系７０は、スクリーンＳＣ上に、画像や時間情報を投写表示するものであり、ライトバルブ駆動部７１と、光源部７２と、３原色に対応した液晶ライトバルブ７３と、投写レンズ７４と、を有している。これらは、周知の構成であるため、詳細な説明を省略する。
【００３６】
次に、図２および図３の画面表示例を参照し、情報設定操作およびメモの記録操作について説明する。なお、以下に示す項目の選択および情報設定は、操作パネル５４、リモコン４５、キーボード４０のいずれかを用いて行い得るようになっている。図２（ａ）は、ＯＳＤメニュー画面Ｄ０１のトップ画面の一例を示す図である。同図に示すように、トップ画面には、トップメニュー表示領域１１０と、情報表示領域１２０と、が設けられている。
【００３７】
トップメニュー表示領域１１０には、トップメニューとして、映像の画質、明るさ、コントラストなどを調整するための［画質調整］ボタン、入力信号の選択および映像調整を行うための[映像]ボタン、台形補正や音量調整など各種設定を行うための［設定］ボタン、表示設定および設定場所に応じた設置モードなどを設定するための［拡張設定］ボタン、ネットワーク設定を行うための［ネットワーク］ボタン、光源ランプの累積使用時間や入力信号を表示させるための［情報］ボタン、メモを記録するための［メモ］ボタン、ＯＳＤメニュー画面Ｄ０１の全項目を初期化するための［初期化］ボタン、が表示されている。トップメニュー表示領域１１０の中からいずれかのボタンが押下されると、情報表示領域１２０には、選択された項目の階層下にあるサブメニューと、その設定値と、が表示される。
【００３８】
図２（ａ）は、トップメニュー表示領域１１０で、［ネットワーク］ボタンが押下された場合を例示している。この場合、情報表示領域１２０には、ネットワーク設定画面Ｄ０２（図２（ｂ）参照）を表示させるための、［ネットワーク設定画面へ］ボタン１２１と、前画面の表示に戻すための［戻る］ボタン１２２と、が表示される。
【００３９】
図２（ｂ）は、図２（ａ）に示したトップ画面において、［ネットワーク設定画面へ］ボタン１２１が押下された場合に表示されるネットワーク設定画面Ｄ０２の一例を示す図である。同図に示すように、ネットワーク設定画面Ｄ０２には、設定メニュー表示領域１３０と、設定項目表示領域１４０と、が設けられている。
【００４０】
設定メニュー表示領域１３０には、ネットワークに関する基本項目を設定するための［基本設定］ボタン、アンテナレベル、無線ＬＡＮ方式、ＩＰアドレス、サブネットマスク、ゲートウェイアドレスなどを設定するための［無線ＬＡＮ］ボタン、セキュリティの種類を設定するための［セキュリティ］ボタン、ＤＨＣＰ、ＩＰアドレス、サブネットマスク、ゲートウェイアドレスなどを設定するための［有線ＬＡＮ］ボタン、プロジェクター１０の異常を通知する通知先のメールアドレスなどを設定するための［メール］ボタン、ＳＮＭＰの設定を行うための［監視設定］ボタン、ネットワーク設定を終了し、ＯＳＤメニュー画面Ｄ０１を表示させるための［設定終了］ボタン、が表示されている。設定メニュー表示領域１３０の中からいずれかのボタンが押下されると、設定項目表示領域１４０には、選択された項目の階層下にある下位項目と、その設定値と、が表示される。
【００４１】
図２（ｂ）は、設定メニュー表示領域１３０で、［基本設定］ボタンが押下された場合を例示している。この場合、設定項目表示領域１４０には、プロジェクター名、認証用パスワード、キーワードの各設定項目名に対応して、それらの設定値を入力するための入力欄１４１と、前画面の表示に戻すための［戻る］ボタン１４２と、が表示される。これらプロジェクター名、認証用パスワード、キーワードなどの設定項目のように、文字入力を伴う設定項目が選択されると、キーボード４０からの文字入力が可能な状態となる。キーボード４０から入力された文字は、図示のように、カーソルＫの位置に挿入される。
【００４２】
なお、上記のように、キーボード４０が接続されている場合は、文字入力を伴う設定項目が選択されると、キーボード４０からの文字入力が可能な状態となるが、キーボード４０が接続されていない場合は、ソフトキーボードが立ち上がり、ソフトキーボードからの文字入力が可能な状態となる。
【００４３】
また、ＯＳＤメニュー画面Ｄ０１およびネットワーク設定画面Ｄ０２における各項目は、キーボード４０のショートカットキー操作によるダイレクト指定が可能となっている。つまり、キーボード入力部５２に入力される入力情報には、ショートカットキー操作によるショートカット情報が含まれる。これにより、ユーザーは、ＯＳＤメニュー画面Ｄ０１を開くための操作を必要とすることなく、直接メニュー項目を指定できるため、より迅速に、メニュー項目の情報設定を行うことができる。
【００４４】
続いて、図３を参照し、メモの記録操作について説明する。図３（ａ）は、トップメニュー表示領域１１０の中から［メモ］ボタンが押下された場合に表示されるＯＳＤメニュー画面Ｄ０１の一例を示す図である。この場合、ＯＳＤメニュー画面Ｄ０１には、メモ情報表示領域１５０が表示され、当該メモ情報表示領域１５０には、メモを新規作成するための［新規作成］ボタン１５１と、メモとして登録済みのファイルを読み出すための［ファイル読み出し］ボタン１５２と、前画面の表示に戻すための［戻る］ボタン１５３と、が表示される。
【００４５】
図３（ｂ）は、メモ情報表示領域１５０で、［ファイル読み出し］ボタン１５２が押下された場合を例示している。この場合、メモ情報表示領域１５０には、ファイル表示領域１６１と、前画面の表示に戻すための［戻る］ボタン１６２と、が表示される。ファイル表示領域１６１には、外部メモリー５８が装着状態である場合、当該外部メモリー５８内に登録されているファイル一覧を表示し、外部メモリー５８が装着されていない場合、内部メモリー５７内に登録されているファイル一覧を表示する。
【００４６】
なお、図３に示したメモの記録操作についても、操作パネル５４、リモコン４５、キーボード４０のいずれかを用いて行い得るようになっており、キーボード４０が接続されていない場合は、ソフトキーボードからの文字入力が可能となる。
【００４７】
続いて、図４のフローチャートを参照し、メモの記録処理について説明する。なお、同図において、点線枠は、ユーザーの操作を伴う工程を示し、実線枠は、プロジェクター１０の動作を主体とする工程を示す。トップメニュー表示領域１１０の中から［メモ］ボタンが押下されることにより、メモの記録処理を開始すると、まずユーザーにより、新規ファイル作成か否かが選択される（Ｓ０１，図３（ａ）参照）。
【００４８】
新規ファイル作成が選択された場合は（Ｓ０１：Ｙｅｓ）、テキストエディター５３を実行し（Ｓ０２）、ユーザーにより情報が入力される（Ｓ０３）。一方、新規ファイル作成が選択されなかった場合は（Ｓ０１：Ｎｏ）、外部メモリー５８の装着の有無を確認する（Ｓ０４）。ここで、外部メモリー５８が装着されている場合は（Ｓ０５：Ｙｅｓ）、ファイル表示領域１６１に、外部メモリー５８に登録されているファイル一覧を表示する（Ｓ０６，図３（ｂ）参照）。また、外部メモリー５８が装着されていない場合は（Ｓ０５：Ｎｏ）、ファイル表示領域１６１に、内部メモリー５７に登録されているファイル一覧を表示する（Ｓ０７）。
【００４９】
表示したファイル一覧の中から、ユーザーによりいずれかのファイルが選択されると（Ｓ０８）、テキストエディター５３を実行して（Ｓ０９）、ファイルの中身（テキスト情報）を表示する（Ｓ１０）。当該表示は、投写画像上に重畳表示させても良いし、ファイル表示領域１６１に表示しても良い。キーボード４０の情報入力によって、ファイルの書き替えが行われると（Ｓ１１）、ファイルを保存し（Ｓ１３：該当するメモリー５７，５８に記録し）、テキストエディター５３を終了する（Ｓ１４）。
【００５０】
一方、メモが新規作成された場合は（Ｓ０１：Ｙｅｓ）、ユーザーによって入力された情報を、投写画像上またはファイル表示領域１６１に表示する（Ｓ１２）。入力情報の表示は、キーボード４０の文字入力に伴って１文字ずつ表示していくことが好ましい。その後、ファイルを保存し（Ｓ１３）、テキストエディター５３を終了する（Ｓ１４）。
【００５１】
以上説明したとおり、本実施形態のプロジェクター１０によれば、ハードウェアとしてのキーボード４０を接続し、当該キーボード４０による入力情報を、テキスト情報に変換して記録できるため、メモの記録を容易に行うことができる。また、テキスト情報を投写表示できるため、プレゼンテーション中に発表者が気づいたことをメモとして書き留めておきたい場合、そのメモ内容をスクリーンＳＣ上で確認することができる。また、テキスト情報を投写画像に重畳表示すれば、プレゼンテーションの資料に記載漏れがあった場合などに、それを補足することができる。また、キーボード４０を用いることにより、ＯＳＤメニュー画面Ｄ０１のメニュー項目の選択およびその情報設定を、容易且つ迅速に行うことができる。
【００５２】
［第２実施形態］
次に、図５を参照し、本発明の第２実施形態について説明する。上記の実施形態では、プロジェクター１０に直接キーボード４０を接続したが、本実施形態では、リモコン８０にキーボード４０を接続する点で異なる。以下、第１実施形態と異なる点のみ説明する。
【００５３】
図５は、第２実施形態に係るプロジェクター１０の構成を示すブロック図である。プロジェクター１０は、リモコン８０と、プロジェクター本体９０と、から成る。リモコン８０は、キーボード用インターフェース８１、キーボード入力部８２、入力操作部８３、リモコン制御部８４および送信部８５を備えている。
【００５４】
キーボード用インターフェース８１およびキーボード入力部８２は、第１実施形態のキーボード用インターフェース５１およびキーボード入力部５２と同様の機能を有する。また、入力操作部８３は、リモコン８０に設けられた各種操作子により構成される。リモコン制御部８４は、リモコン８０全体を制御するものであり、送信部８５は、プロジェクター本体９０との通信を行うためのものである。リモコン制御部８４は、入力操作部８３またはキーボード入力部８２から情報が入力されると、当該入力情報を、送信部８５を介してプロジェクター本体９０に送信する。
【００５５】
一方、プロジェクター本体９０は、リモコン受光部５５を含む、図１に示したプロジェクター１０の各構成要素を備えている（リモコン受光部５５以外については、図示省略）。但し、本実施形態では、キーボード用インターフェース５１およびキーボード入力部５２は不要である。つまり、本実施形態のプロジェクター本体９０は、リモコン受光部５５を介して、キーボード４０の入力情報を取得する構成となっている。なお、請求項における「受信手段」とは、当該リモコン受光部５５を指す。
【００５６】
以上説明したとおり、本実施形態のプロジェクター２０によれば、キーボード４０をリモコン８０に接続するため、プロジェクター本体９０が天吊り状態で設置されているなど、プロジェクター本体９０へのキーボード４０の接続が困難な場合でも、支障なくキーボード４０による情報入力が可能となる。
【００５７】
［第３実施形態］
次に、図６を参照し、本発明の第３実施形態について説明する。上記の実施形態では、プロジェクター１０，２０に、直接キーボード４０を接続したが、本実施形態では、コンピューター２００を接続する点で異なる。以下、第１実施形態と異なる点のみ説明する。
【００５８】
図６は、第３実施形態に係るプロジェクターシステムＳＹの構成を示すブロック図である。プロジェクターシステムＳＹは、コンピューター２００と、プロジェクター３０と、から成る。本実施形態のプロジェクター３０は、第１実施形態のプロジェクター１０を利用可能であるが、キーボード用インターフェース５１およびキーボード入力部５２は必須ではないため、図示を省略している。
【００５９】
一方、コンピューター２００は、情報入力手段として機能するキーボード２１０を有している。また、プロジェクター３０のＷｅｂサーバーと通信を行うためのＷｅｂブラウザが搭載されており、不図示のネットワークを介して、プロジェクター３０の画像信号入力端子６０に接続されている。なお、請求項における「受信手段」とは、当該画像信号入力端子６０を指す。また、ネットワークを介さず、ＰＣケーブル等を介して、コンピューター２００と、プロジェクター３０とを、直接接続する構成としても良い。
【００６０】
このように、本実施形態のプロジェクターシステムＳＹは、画像信号入力端子６０を介して、キーボード２１０からの入力情報を取得する構成であるため、キーボード用インターフェース５１など、キーボード２１０を接続するための特別な構成を必要とせず、既存の構成のプロジェクター２０を適用することができる。また、プロジェクター３０側で、入力情報をテキスト情報に変換するため、コンピューター２００側でそのためのソフトウェア（テキストエディター）を起動させる必要がない。これにより、キーボード２１０の文字入力に伴って、投写画像がテキストエディターの画面に切り替わってしまうといった問題がない。また、コンピューター２００側で、パワーポイント（登録商標）などのプレゼンテーション用ソフトウェアを起動させてプレゼンテーションを行っている状態でも、投写画像に影響を与えることなく、プロジェクター３０側のテキストエディター５３を起動させることができる。
【００６１】
以上、３つの実施形態を示したが、上記の実施形態に示したプロジェクター１０，２０，３０の各構成要素をプログラムとして提供することが可能である。また、そのプログラムを記録媒体（図示省略）に格納して提供することも可能である。すなわち、コンピューターを、本実施形態のプロジェクター１０，２０，３０の各構成要素として機能させるためのプログラム、およびそれを記録した記録媒体も、本発明の権利範囲に含まれるものである。その他、各実施形態を組み合わせるなど、本発明の要旨を逸脱しない範囲で、適宜変更が可能である。
【符号の説明】
【００６２】
１０…プロジェクター（第１実施形態）  ２０…プロジェクター（第２実施形態）  ３０…プロジェクター（第３実施形態）  ４０…キーボード  ５１…キーボード用インターフェース  ５２…キーボード入力部  ５３…テキストエディター  ５６…記録制御部  ５７…内部メモリー  ５８…外部メモリー  ６０…画像信号入力端子  ６１…入力ソース選択部  ６２…ＯＳＤ処理部  ６３…ＯＳＤ用メモリー  ６４…画像処理部  ６５…投写制御部  ７０…投写光学系  ８０…リモコン  ９０…プロジェクター本体  Ｄ０１…ＯＳＤメニュー画面  Ｄ０２…ネットワーク設定画面  ＳＣ…スクリーン  ＳＹ…プロジェクターシステム
【図１】
2010190928.tif 000003
【図２】
2010190928.tif 000004
【図３】
2010190928.tif 000005
【図４】
2010190928.tif 000006
【図５】
2010190928.tif 000007
【図６】
2010190928.tif 000008